(57)【特許請求の範囲】
【請求項１】
上下に間隔をおいて併設される上下の枠と、この上下の枠の間に左右に間隔をおいて立ち上げる側枠とで矩形をなす装着枠部を多数連続してなる遊技機取付台を形成し、該遊技機取付台の前記各装着枠部の一側部の上下に対応する前記上下の枠に透孔を穿って軸承部を形成し、該軸承部に支軸を挿通し遊技機装着枠を回動並びに着脱自由に軸承する一方、前記遊技機装着枠には遊技機本体の一側部を受け入れ着脱自由に係止する装着部を設け、該装着部に前記遊技機本体を取付けて、常には前記遊技機取付台に対して前記遊技機本体を閉じた状態に拘束する一方、前記遊技機本体の脱着時或いは該遊技機本体の背後に設備する遊技盤を収める機構枠、表示灯の点滅等の制御を行う制御装置等に対する保守点検時には前記支軸を支点に前記遊技機装着枠を回転させ遊技機本体の他側部を前方に回動し開放可能にしてなることを特徴とした遊技機の取付装置。
【請求項２】
請求項１の記載において、遊技機装着枠に形成される装着部は遊技機本体の一側部の上部と下部を受け入れる上下の装着部からなることを特徴とした遊技機の取付装置。
【請求項３】
請求項１又は２の記載において、遊技機装着枠の装着部には遊技機本体を着脱自由に係止する係止部材が備えられていることを特徴とした遊技機の取付装置。
【請求項４】
請求項１，２，３の記載において、遊技機取付台には遊技機装着枠を介して遊技機本体を閉じたとき、該遊技機取付台と遊技機本体との間の空隙を塞ぐ防犯用枠材が設けられることを特徴とした遊技機の取付装置。
【発明の詳細な説明】
【０００１】
【発明の属する技術分野】
本発明は、遊技機とホールにおける遊技機取付台の改良に関する。
【０００２】
【従来の技術】
一般にパチンコ機は基本的な構造体として外枠と前枠を有し、遊技盤を始めとする遊技機機構本体を備える前枠の一側部をヒンジ機構を介して外枠の一側縁に蝶着し、前枠を外枠の内部に収める閉じ込んだ状態と、ヒンジ機構を支点に前方に開放し、前枠の背面が覗ける状態とに変化できるようにしてある。
【０００３】
このパチンコ機の構造は、パチンコ機をホールの取付台に固定するためと、固定したのちに保守点検し、或いは遊技盤を交換するに当たっての便利さにある。ことに外枠はホールの遊技機取付台に直接釘打ちによって固定するもので、ホールに設置する上で不可欠の構成要素となっている。
【０００４】
【発明が解決しようとする課題】
このパチンコ機における外枠は、上述の様にホール設置の上で不可欠の要素となっているが、例えばパチンコ機を入れ替える場合には前枠との一体性があるため取り外す必要がある。そして使用済みとなった場合には前枠と共に処分され、その多くは再使用されることがない。
【０００５】
本発明はこの点に鑑み改善する目的で開発されたもので、従来不可欠の要素としてパチンコ機に組込まれてきた外枠を排除してパチンコ機を前枠単体とし、ホール設置の遊技機取付台に外枠に代わる遊技機装着手段を準備してこの装着手段を介して直接前枠を遊技機取付台に組込み取付けられるようにした遊技機の取付装置を提供しようとするものである。
【０００６】
本発明は、外枠に代わる遊技機装着手段をホールの取付台に準備することによってパチンコ機自体を簡潔にし、これにより製造性の向上、取扱いの容易性を図ると共に、使用済みとなった場合の無駄を省き、更にはパチンコ機を取付台に固定する際の作業性の向上を図ることを目的としたものである。
【０００７】
ことに、パチンコ機をホール取付台に固定する作業は前述したように釘打ちによって１台づつ取付けることから極めて厄介であり、多数台を設置する場合多くの時間と工事費を要し経済性に欠ける問題があった。しかも個々のパチンコ機を個別に釘打ちによって取付けることから、位置基準の調整が厄介であり作業を困難にしている問題もあった。
【０００８】
【課題を解決するための手段】
本発明はかゝる問題点を解決するため、パチンコ機をホールの遊技機取付台に固定するため用意されていた外枠に代えて、遊技機取付台に遊技機装着手段たる装着枠を準備し、前枠を直接この装着枠に支持させるようにして前記取付台に組込み、その固定を行うようにした遊技機の取付装置を提供しようとするものである。
【０００９】
ことに、本発明は前記遊技機装着手段、つまり遊技機装着枠を遊技機取付台に対して回動自由に枢着支持し、これに直接前枠を着脱自由に取付けられるようにし、併せて該装着枠を以て前枠を開閉自由に取付けられるようにしたことにある。
【００１０】
本発明を更に具体的に説明すれば、本発明はホールに備えられる遊技機取付台に支軸を支点に回動する遊技機装着枠を備え、該装着枠に遊技機構体を装備する遊技機本体を着脱可能に装着支持して、常にはロック装置を介して該遊技機本体を閉じた状態に拘束する一方、前記遊技機本体の脱着時或いは前記遊技機構体の保守点検時には前記ロック装置を解除し前記支軸を支点に前記遊技機本体を前方に回動可能にして開放できるようにしてなることを特徴とした遊技機の取付装置を提供するものである。
【００１１】
また本発明は、前記遊技機取付台には遊技機本体を単位とする装着枠部を横列に多数連設すると共に、該各装着枠部の一側部上下に支軸を支持する軸承部を設けて遊技機装着枠を回動自由に支持してなることを特徴とした遊技機の取付装置を提供することにある。
【００１２】
また本発明は、前記遊技機取付台には遊技機本体を受け入れられる間隔をおいて上枠と下枠を備え、該上下の枠の間に装着枠部を形成する一方、上下の枠に遊技機装着枠を支持する支軸の軸承部を設けてなることを特徴とした遊技機の取付装置を提供することにある。
【００１３】
また本発明は、前記遊技機取付台に遊技機装着枠を回動自由に支持する支軸は遊技機取付台又は遊技機装着枠のいずれかに対して着脱自由に軸承し、遊技機装着枠を遊技機取付台から脱せるようにしてなることを特徴とした遊技機の取付装置を提供することにある。
【００１４】
また本発明は、前記遊技機装着枠には遊技機本体の一部を受け入れる装着部が形成されていることを特徴とした遊技機の取付装置を提供することにある。
【００１５】
また本発明は、前記遊技機装着枠の装着部には遊技機本体を着脱自由に係止する係止部材が備えられていることを特徴とした遊技機の取付装置を提供することにある。
【００１６】
また本発明は、前記遊技機取付台には遊技機装着枠を介して遊技機本体を閉じたとき、遊技機取付台と遊技機本体との間の空隙を塞ぐ防犯用枠材が設けられることを特徴とした遊技機の取付装置を提供することにある。
【００１７】
【実施の形態】
【実施例】
次に本発明を図示する実施例について詳述し、その特徴とするところを説明する。
図１は本発明の使用状態を説明する正面図であり、図２は遊技機取付台から遊技機たるパチンコ機を外した状態の正面図、図３は図２のＡ−Ａ線断面図で、図４は遊技機装着枠の拡大斜視図、図５は使用状態における一部断面とした平面図である。
【００１８】
図面において、符号１はホールに設備される遊技機取付台で、２は遊技機たるパチンコ機の本体、３は遊技機取付台１に装備される遊技機装着枠である。
遊技機取付台１は所謂「島」と称されるホール備え付けの設備で、ここでは台の下辺を構成する下枠５と、遊技機本体２の略高さに合わせた間隔をおいて上方に並設される上枠４、そして遊技機本体の幅間隔に合わせて左右に立ち上げた側枠６、７によって矩形に構成し、その内側に１台の遊技機が収まる装着枠部８を形成している。
【００１９】
遊技機取付台は、その前方に設備される椅子（図示せず）に遊技者が着席したとき、その装着枠部８が遊技者の顔前に位置する高さに備えられるもので、同じ高さに揃えて複数の装着枠部８がそれぞれ１つの側枠６（又は７）を共用して横並びに連続的に設けられ、複数の遊技機が取付けられるようになっている。
【００２０】
遊技機本体２は、従来の遊技機、つまりパチンコ機における前枠に相当するもので、中央部に遊技盤（図示せず）を覗かせる窓９を開設してなる矩形の枠体１０を中心にして構成されており、その背後には上記遊技盤を収める機構枠１１、遊技盤に備える各種の入賞装置、賞球を放出する賞球装置、入賞を表示する表示灯の点滅等各種の制御を行う制御装置１２等が設備され、また前面にはパチンコ球を受ける上下の皿１３，１４、そして打球を発射する発射装置の発射用操作グリップ１５等が装備される。
【００２１】
この遊技機本体２の枠体１０は従来のパチンコ機における前枠と略同一のもので、図５に示す如くやゝ肉厚の板状をなし、前記装着枠部８の内側に収まる大きさに形成してある。そして、ここでは左方の一側縁を装着枠部８の左方の内側面に沿って備える遊技機装着枠３に結合させ、この装着枠３を介して装着枠部８に組込まれるようにしてある。
【００２２】
この実施例における遊技機装着枠３は肉厚の板状に形成してあり、上端と下端には水平方向に向けて直角に突き出す装着部１６，１７が設けてある（図４を参照）。
両装着部は遊技機本体の枠体１０の左方の上下隅部を受け入れ止め付けるためのものであり、隅部を受け入れる溝１６ａ，１７ａを有し、各装着部にはこの溝に受け入れた隅部を固定する止めねじ１８とこのねじを受け入れるねじ孔１９が設けてある。
【００２３】
図中、２０は上記遊技機装着枠３を装着枠部８に組付けるための支軸である。この支軸２０は装着枠部の左端に当たる上下の枠４，５に軸心線が揃うようにして上及び下から通され、前記遊技機装着枠３の上端と下端に各形成する孔２１に差し込み回転自由に軸承するようにしてある。
この支軸２０を通すため上下の枠４，５を貫く透孔、そして貫き通した支軸２０の先端を受ける孔２１は装着枠部８に装着枠３を回転自由に組付けるための軸承部を構成するもので、支軸２０の差し込みによって装着枠３を組付け、又引き抜くことによってこの装着枠を装着枠部８から外すことができるようになっている。
【００２４】
図中、２２は遊技機本体２を装着枠部８の内部に閉じた状態に拘束するロック装置の鍵穴であり、２３はこの鍵穴に差し入れる鍵によって開閉操作されるロックピンである。そして、２４は遊技機本体２を閉じたとき閉じ合せ位置を決めると共に、装着枠部８の内周縁と枠体１０の外周縁との間に出来る空隙を塞いで不正行為を防止する防犯用枠板である。
【００２５】
本発明装置は上述の如く構成されるもので、遊技機取付台１に遊技機本体２を取付ける際は支軸２０を支点に装着枠３の装着部１６，１７を前方に向けてその溝１６ａ，１７ａの開放端部を前面に向け、この溝に遊技機本体の左端の上下の隅部を差し入れ、次に背面側から止めねじ１８を孔１９に差し通してこの隅部に穿つ雌ねじ孔（図示せず）に緊締することにより取付けが行われる。
【００２６】
尚、上記止めねじ１８は係止部材を構成するもので、この部材として求められることは装着枠３に対して遊技機本体２をしっかり固定できること、そして一方において自由にこの固定を解除して遊技機本体を装着枠から外せることである。従って、実施においてはこの機能をもつものであれば前記止めねじ１８に限られるものではなく、他の係止手段にすることができる。
【００２７】
前記装着枠３に対する取付けを行ったのち、支軸２０を支点にして回動させ遊技機本体２を装着枠部８に収めながら閉じて、次にロック装置を操作してロックピン２３を上下に突出させ、上枠４と下枠５に各形成する係止穴（図示せず）に突き入れ閉塞状態に拘束する。
【００２８】
図１はこの閉塞状態を示している。遊技機本体２は取付台１の装着枠部８内に収まり、ロック装置を解除しない限り、開放されることはなく従来の外枠を備えた遊技機と全く同一の状態で使用されることになる。
そして、この状態において保守或いは点検のため背面を開放する必要がある場合には鍵穴２２を通してロック装置を解除操作すればよく、外枠付き遊技機と全く同じ状態で開くことになる。
【００２９】
そして更に、取付台１から遊技機本体２を外す場合には上記開放状態において装着部の止めねじ１８を引き抜けば簡単に装着状態を解除することができ取付台から外すことができる。
この場合、取付台１には装着枠３が支軸２０に支えられて残ることから交換する他の遊技機本体を嵌め入れ止めねじ１８を戻せばそのまゝ交換作業を行うことができる。
【００３０】
尚、このとき、遊技機本体２の形状が変更されて装着枠３との適合性が失われる場合には、支軸２０を抜いて、適合した新たな装着枠と交換し、再び支軸２０を差し入れて支持すればよく、簡単に装着枠３を交換することができる。この交換作業は遊技機の枠体１０に形状等の変更がある場合に有利であり、取付台１に対する大掛かりな改造を要することなく実施できる点で優れている。
【００３１】
ところで、前記実施例の説明では遊技機装着枠３を板状にしてその上下両端に装着部１６，１７を形成し、この装着部１６，１７に遊技機本体の左方の上下の隅部を受け入れる溝１６ａ，１７ａを設ける場合について説明したが、この装着部１６，１７については図６に示すように前面側の片を除去して背面側の片１６ｂ，１７ｂのみを残し、これに止めねじ１８を通して本体２の隅部背面に形成する雌ねじ孔（図示せず）に緊締し固定するようにしてもよい。
【００３２】
上記構造によると、装着された状態で遊技機本体の前面の全体がそのまま現れることになるので、装着された姿が自然になりデザインを別に考慮する必要等がなくなる利点がある。
【００３３】
また、前記装着枠３については、枠の全体を断面Ｕ字形の棒状に形成してその両端を支軸により装着枠部８の上下の枠に枢着し、縦に設けられる溝の部分に遊技機本体の一側縁を差し入れ、これを止めねじ１８と同様にして背面側から通すねじ等で固定し支持するようにしてもよい。
【００３４】
また更には、装着枠３を額縁形に形成して一側縁の上下を同じく支軸２０によって回転自由に軸着し、この額縁形装着枠の前面側から遊技機本体を嵌め入れる如く添わせて組付け固定するようにしてもよい。
【００３５】
要するに、遊技機装着枠３は取付台１に対して開閉動自由な状態で遊技機本体２を固定すると共に、この固定状態を簡単に解除して他の遊技機との交換を容易にすることにあるもので、取付ける遊技機本体に対応した構造に形成される必要はあるが、形状等一つに特定されるものではなく任意選択が可能なものである。
【００３６】
また、前記実施例では取付台１の装着枠部８を構成する左右の側枠６，７を単なる枠材としたが、この側枠を配設する空間を利用して球貸機２５を設置してもよい。
図５はその実際を示したものである。この球貸機２５の配置に伴って狭くなる空間に合せて側枠６，７を断面Ｌ字形にしてその一方の片を防犯用枠板２６とした場合である。
【００３７】
【発明の効果】
以上実施例につき詳述したが、本発明によれば遊技機から外枠を省いたことから遊技機そのものを簡素化することができ、使用後の処分に当たって不要な処分を回避することができると同時に、製造性の向上、製造単価の削減に貢献する利点がある。
【００３８】
そして本発明は遊技機装着枠に遊技機本体を装着することで取付台に組付けられるため、迅速な設置が可能であり、また、装着枠からの取り外しも容易に行えることから簡単に遊技機の交換が行え、しかも釘の打ち付け、引き抜き等の作業を要しないことから損傷を受けることがなく、従って何度でも再使用できる利点がある。
【００３９】
また機種の変更によって遊技機本体の形状に変更のあった場合でも、これに合せて装着枠の取換えが可能となっていることから機種によって使用が不可能となることがなく有利である。
【図面の簡単な説明】
【図１】本発明の使用状態を説明する正面図。
【図２】遊技機取付台から遊技機たるパチンコ機を外した状態の正面図。
【図３】図２のＡ−Ａ線断面図。
【図４】遊技機装着枠の拡大斜視図。
【図５】使用状態における一部断面とした平面図。
【図６】遊技機装着枠の他の実施例を示す拡大斜視図である。
【符号の説明】
１                遊技機取付台
２                遊技機本体
３                遊技機装着枠
４                上枠
５                下枠
６，７            側枠
８                装着枠部
１０              枠体
１６，１７        装着部
１８              止めねじ
２０              支軸
２１              支軸を受ける孔
２２              ロック装置の鍵穴
２３              ロックピン
２４，２６        防犯用枠板
【図１】
0003644877.tif 000002
【図２】
0003644877.tif 000003
【図３】
0003644877.tif 000004
【図４】
0003644877.tif 000005
【図５】
0003644877.tif 000006
【図６】
0003644877.tif 000007